(57)【特許請求の範囲】
【請求項１】
基板と、前記基板の一方の面に積層形成されまたは双方の面にそれぞれ形成された２層以上の記録層とを備えた記録ディスクであって、
前記記録層は、
コンテンツデータを後に記録可能な記録可能領域とは異なる物理構造を有し、再生専用であり、かつディスク種類判別を行うために再生装置により光ビームが照射される領域を有する再生専用層と、
ウォブルが形成され、かつ前記記録可能領域を有する記録可能層とを含み、
前記再生専用層には、ＣＳＳ（Content Scramble System）暗号化方式による暗号化データがエンボスピットとして予め記録されていることを特徴とする記録ディスク。
【請求項２】
前記異なる物理構造は、ウォブルが形成されていない構造であることを特徴とする請求の範囲第１項に記載の記録ディスク。
【請求項３】
前記再生専用層には、ファイルシステムの一部または全部がエンボスピットとして予め記録されていることを特徴とする請求の範囲第１項に記載の記録ディスク。
【請求項４】
前記再生専用層には、ファイルシステムの一部がエンボスピットとして予め記録されており、当該ファイルシステムの一部には、前記記録可能層に記録すべきコンテンツデータのファイルの記録位置を示す管理データが含まれていないことを特徴とする請求の範囲第１項に記載の記録ディスク。
【請求項５】
前記再生専用層には、再生専用であることを示す識別情報がエンボスピットとして予め記録されていることを特徴とする請求の範囲第１項に記載の記録ディスク。
【請求項６】
基板と、前記基板上に形成された記録層とを備えた記録ディスクであって、
前記記録層には、
ウォブルが形成され、コンテンツデータを後に記録可能な記録可能領域と
前記ウォブルが形成されていない再生専用領域とが
夫々所定の範囲にわたって形成され、
前記再生専用領域には、ＣＳＳ（Content Scramble System）暗号化方式による暗号化データと、ファイルシステムの一部または全部であって前記コンテンツデータのファイルの記録位置を示す管理データを少なくとも含むデータとがエンボスピットで予め記録されていることを特徴とする記録ディスク。
【請求項７】
前記記録可能領域、及び前記再生専用領域は、当該記録ディスクに形成されたグルーブによって構成されていることを特徴とする請求の範囲第６項に記載の記録ディスク。
【請求項８】
前記再生専用領域は、ディスク種類判別を行うために再生装置により光ビームが照射される領域に形成されていることを特徴とする請求の範囲第６項に記載の記録ディスク。
【請求項９】
前記再生専用領域は、前記記録層の内周側に形成されていることを特徴とする請求の範囲第６項に記載の記録ディスク。
【請求項１０】
前記再生専用領域は、リードイン領域内の所定位置から、このリードイン領域の外周側に続くユーザデータ領域の内周部分にかけて形成されていることを特徴とする請求の範囲第６項に記載の記録ディスク。
【請求項１１】
前記再生専用領域は、前記基板の軸線を基準にして半径２２ミリメートル以上３０ミリメートル以下の範囲内に形成されていることを特徴とする請求の範囲第６項に記載の記録ディスク。
【請求項１２】
前記再生専用領域は、少なくとも、前記基板の軸線を基準にして半径２４ミリメートルから半径２８ミリメートルまでの範囲を覆うように形成されていることを特徴とする請求の範囲第６項に記載の記録ディスク。
【請求項１３】
前記再生専用領域には、再生専用であることを示す識別情報が予め記録されていることを特徴とする請求の範囲第６項に記載の記録ディスク。
【請求項１４】
ユーザデータ領域内において、前記再生専用領域と前記記録可能領域との境界が含まれる所定の範囲には、ダミーデータが記録されていることを特徴とする請求の範囲第６項に記載の記録ディスク。
【請求項１５】
基板と、前記基板上に形成された記録層とを備えた記録ディスクであって、
前記記録層には、
ウォブルが形成され、再生専用の再生専用領域と、
ウォブルが形成され、コンテンツデータを後に記録可能な記録可能領域とが形成され、
前記再生専用領域には、ＣＳＳ（Content Scramble System）暗号化方式による暗号化データと、ファイルシステムの一部または全部とを含むデータが予め記録され、
前記再生専用領域に記録された前記データは、当該再生専用領域に形成された前記ウォブルの位相と１８０度異なる位相を有する波状に配列されていることを特徴とする記録ディスク。
【発明の詳細な説明】
【技術分野】
【０００１】
本発明は、例えば、映像、音楽などのコンテンツデータを記録するのに適した記録ディスクに関する。
【背景技術】
【０００２】
近年、映像および音楽などのコンテンツデータを記録する媒体としてＤＶＤが広く普及している。現在では、再生専用型ＤＶＤだけでなく、コンテンツデータの追記または書き換えが可能な記録型ＤＶＤの普及が拡大している。【０００３】
再生専用型ＤＶＤでは、コンテンツデータをＤＶＤに記録するために、スタンパを用いてエンボスをＤＶＤの記録面に刻み込む。このため、コンテンツデータを記録したＤＶＤを作るのに費用がかかる。それゆえ、再生専用型ＤＶＤは、例えば映画作品を記録したＤＶＤを大量に生産し、全国市場に広く販売するのに向いている。その反面、再生専用型ＤＶＤは、地方公共団体や企業のＰＲ活動のための映像などを記録したＤＶＤを少量生産し、特定の地域や特定の得意先などに提供するのには不向きである。つまり、少量生産のために専用のスタンパを製造するのは、コストが高くつきすぎるのである。【０００４】
一方、記録型ＤＶＤは、ＤＶＤレコーダを用いれば、コンテンツデータをＤＶＤに簡単に記録することができる。すなわち、記録したいコンテンツデータをＤＶＤレコーダに与え、ＤＶＤレコーダの記録開始ボタンを押せば、ＤＶＤレコーダが、コンテンツデータに基づいて変調された光ビームを記録型ＤＶＤの記録面に照射し、これによりコンテンツデータの記録が実行される。このため、コンテンツデータを記録したＤＶＤを作るのに費用があまりかからない。それゆえ、記録型ＤＶＤは、地方公共団体や企業のＰＲ活動のための映像などを記録したＤＶＤの少量生産に向いている。
【発明の開示】
【発明が解決しようとする課題】
【０００５】
ところで、ＤＶＤの映像記録に関する著作権保護のための暗号化方式には、ＣＳＳ（Content Scramble System）とＣＰＲＭ（Content Protection for Recordable Media）がある。ＣＳＳは再生専用型ＤＶＤに採用されている。ＣＰＲＭは記録型ＤＶＤに採用されている。【０００６】
現在普及しているほとんどすべてのＤＶＤプレーヤ（再生装置）は、ＣＳＳに対応しており、ＣＳＳで暗号化されてＤＶＤに記録されたコンテンツデータを復号して再生することができる。ところが、現在普及しているＤＶＤプレーヤの中には、ＣＰＲＭに対応しておらず、ＣＰＲＭで暗号化されてＤＶＤに記録されたコンテンツデータを再生することができないものがある。【０００７】
ここで、ＤＶＤが現在のように普及するに至った経緯をふり返ってみる。現在では、再生専用型ＤＶＤだけでなく、記録型ＤＶＤも広く普及している。しかし、ＤＶＤが市場に登場した初期の段階では、市場には再生専用型ＤＶＤしかなかった。記録型ＤＶＤが市場に登場したのは、再生専用型のＤＶＤが広く普及した後であった。【０００８】
このため、ＤＶＤが市場に登場した初期の段階では、再生専用型ＤＶＤの暗号化方式であるＣＳＳを採用したＤＶＤプレーヤが普及した。記録型のＤＶＤの暗号化方式であるＣＰＲＭを採用したＤＶＤプレーヤが市場に出回るようになったのは、ＣＳＳを採用したＤＶＤプレーヤが普及した後であった。【０００９】
この結果、現在の家庭やオフィスには、ＣＳＳは採用しているものの、ＣＰＲＭを採用していない、いわば旧式のＤＶＤプレーヤが多く存在している。そして、このような旧式のＤＶＤプレーヤでは、ＣＰＲＭで暗号化されたコンテンツデータを再生することができない。【００１０】
この結果、次のような問題が生じ得る。すなわち、地方公共団体や企業などが、ＤＶＤレコーダを用いて、ＰＲ活動映像などのコンテンツデータを記録型ＤＶＤに記録する場合、このコンテンツデータはＣＰＲＭにより暗号化される。したがって、地方公共団体や企業などが、ＰＲ活動映像などのコンテンツデータを記録した記録型ＤＶＤを少量生産しても、このコンテンツデータがＣＰＲＭで暗号化されている限り、旧式のＤＶＤプレーヤで再生することができない。このため、コンテンツの視聴者が限られてしまい、コンテンツを広く配布ないし販売することができなくなるおそれがある。【００１１】
本発明は上記に例示したような問題点に鑑みなされたものであり、本発明の第１の課題は、コンテンツデータを追記または書き換えることができ、かつ暗号化されて記録されたコンテンツデータを復号・再生することができる再生装置の機種または型を広げることができる記録ディスクを提供することにある。【００１２】
本発明の第２の課題は、コンテンツデータを追記または書き換えることができ、かつ暗号化されて記録されたコンテンツデータを、ＣＳＳを採用しＣＰＲＭを採用していない再生装置でも再生することができる記録ディスクを提供することにある。
【課題を解決するための手段】
【００１３】
上記課題を解決するために本発明の第１記録ディスクは、基板と、前記基板の一方の面に積層形成されまたは双方の面にそれぞれ形成された２層以上の記録層とを備えた記録ディスクであって、前記記録層は、コンテンツデータを後に記録可能な記録可能領域とは異なる物理構造を有し、再生専用であり、かつディスク種類判別を行うために再生装置により光ビームが照射される領域を有する再生専用層と、ウォブルが形成され、かつコンテンツデータを後に記録可能な記録可能層とを含み、前記再生専用層には、ＣＳＳ（Content Scramble System）暗号化方式による暗号化データがエンボスピットとして予め記録されている。なお、前記異なる物理構造は例えばウォブルが形成されていない構造であることが好ましい。また、コンテンツデータを後に記録可能とは、例えば記録ディスクの出荷後に、当該記録ディスクを購入した消費者がコンテンツデータを記録することが可能であることを意味する。【００１４】
上記課題を解決するために本発明の第２記録ディスクは、基板と、前記基板上に形成された記録層とを備えた記録ディスクであって、前記記録層には、コンテンツデータを後に記録可能な記録可能領域とは異なる物理構造を有する再生専用の再生専用領域と、ウォブルが形成され、コンテンツデータを後に記録可能（例えば追記又は書換えが可能）な記録可能領域とが形成され、前記再生専用領域には、ＣＳＳ（Content Scramble System）暗号化方式による暗号化データと、ファイルシステムの一部または全部とが予め記録されている。なお、前記異なる物理構造は例えばウォブルが形成されていない構造であることが好ましい。【００１５】
上記課題を解決するために本発明の第３記録ディスクは、基板と、前記基板上に形成された記録層とを備えた記録ディスクであって、前記記録層には、ウォブルが形成され、再生専用の再生専用領域と、ウォブルが形成され、コンテンツデータを後に記録可能（例えば追記又は書換えが可能）な記録可能領域とが形成され、前記再生専用領域には、ＣＳＳ（Content Scramble System）暗号化方式による暗号化データと、ファイルシステムの一部または全部とを含むデータが予め記録され、前記再生専用領域に記録された前記データは、当該再生専用領域に形成された前記ウォブルの位相と１８０度異なる位相を有する波状に配列されている。【００１６】
本発明のこのような作用及び他の利得は次に説明する実施形態及び実施例から明らかにされる。
【図面の簡単な説明】
【００１７】
【図１】本発明の記録ディスクの実施形態を示す断面図である。
【図２】本発明の記録ディスクの他の実施形態を示す断面図である。
【図３】本発明の記録ディスクの実施例である２層ハイブリッドＤＶＤを示す説明図である。
【図４】本発明の記録ディスクの他の実施例である２層ハイブリッドＤＶＤを示す説明図である。
【図５】本発明の記録ディスクの実施例である１層ハイブリッドＤＶＤを示す説明図である。
【図６】図５中の１層ハイブリッドＤＶＤのグルーブを示す説明図である。
【図７】本発明の記録ディスクの他の実施例である１層ハイブリッドＤＶＤのグルーブを示す説明図である。
【図８】本発明の記録ディスクの別の実施例である１層ハイブリッドＤＶＤのグルーブを示す説明図である。
【符号の説明】
【００１８】
１０、２０  記録ディスク
１１、１３、２１、２３、４１、４３、７１、７３  基板
１２、２２、４２、７２  記録層
１４、４４  再生専用層
１５、４５  記録可能層
１７、２７、５３、８５  暗号化データ
１８、２８、５４、６１Ａ、６１Ｂ、８６  ファイルシステム
１９、２９、５２、８４  識別情報
２４、７５  再生専用領域
２５、７４、７６  記録可能領域
４０、６０  ２層ハイブリッドＤＶＤ
７０  １層ハイブリッドＤＶＤ
４６、８１  リードイン領域
４７、８２  ユーザデータ領域
８７  ダミーデータ
【発明を実施するための最良の形態】
【００１９】
以下、本発明を実施するための最良の形態について実施形態毎に順に図面に基づいて説明する。【００２０】
図１は、本発明の記録ディスクの実施形態を示している。図１中の記録ディスク１０は、例えば、映像、音楽などのコンテンツデータを記録する記録媒体として用いるのに適している。記録ディスク１０は、例えばＤＶＤである。なお、本発明の記録ディスクは、ＤＶＤに限らず、ブルーレイディスク（Blu-ray Disc）、ＨＤ−ＤＶＤなどの他の記録ディスクにも適用することができる。【００２１】
図１に示すように、記録ディスク１０は、基板１１と、基板１１上に形成された記録層１２と、記録層１２上に設けられた基板１３とを備えている。記録ディスク１０は２層記録ディスクである。記録層１２は、第１層と第２層とを重ね合わせることによって構成されている。なお、基板１１、１３および記録層１２の形状および厚さなどについては、通常のＤＶＤと同様に設定することができる。【００２２】
記録ディスク１０は、再生専用型ディスクと記録型ディスクとの双方の性質を併せもったハイブリッドディスクである。すなわち、第１層は再生専用層１４である。再生専用層１４には、ウォブルが形成されておらず、再生専用、つまり追記不能でありかつ書き換え不能である。一方、第２層は記録可能層１５である。記録可能層１５には、ウォブルが形成され、コンテンツデータの追記または書き換えが可能である。【００２３】
再生専用層１４は、ディスク種類判別を行うために再生装置により光ビームが照射される領域１６を有している。以下、ディスク種類判別を行うために再生装置により光ビームが照射される領域を「ディスク種類判別領域」という。【００２４】
また、再生専用層１４には、ＣＳＳ暗号化方式の暗号化データ１７とファイルシステム１８とがエンボスピットとして予め記録されている。さらに、再生専用層１４には、再生専用であることを示す識別情報１９がエンボスピットとして予め記録されている。【００２５】
記録ディスク１０に対するコンテンツデータの記録は、例えば次のように行う。記録ディスク１０の製造が完了し、記録ディスク１０を出荷する段階で、記録ディスク１０の再生専用層１４には、暗号化データ１７、ファイルシステム１８および識別情報１９がエンボスピットとして予め記録されている。【００２６】
例えば記録ディスク１０を購入したコンテンツ制作者は、コンテンツデータ（例えば地方公共団体や企業のＰＲ活動を記録した映像データなど）を、記録ディスク１０の記録可能層１５に記録する。コンテンツデータを記録可能層１５に記録するときには、必要に応じて、コンテンツデータをＣＳＳにより暗号化する。コンテンツデータをＣＳＳにより暗号化するときには、当該コンテンツデータを記録しようとしている記録ディスク１０の再生専用層１４に予め記録されている暗号化データ１７を用いる。なお、コンテンツデータをＣＳＳにより暗号化して記録可能層１５に記録するときには、ＣＳＳにより暗号化してコンテンツデータを記録する機能を有する記録装置を用いる。【００２７】
また、ファイルシステム１８には、記録可能層１５に記録されるコンテンツデータのファイルの記録位置を示す管理データが含まれている。ファイルシステム１８は、再生専用層１４にエンボスピットとして予め記録されており、後から書き換えることができない。このため、ファイルシステム１８中の管理データも後から書き換えることができず、それゆえ、記録可能層１５に記録されるコンテンツデータのファイルの記録位置は予め固定されている。このため、コンテンツデータを記録可能層１５に記録するときには、このコンテンツデータのファイルの記録位置が、ファイルシステム１８中の管理データの示す記録位置と一致するように、このコンテンツデータをオーサリングする。例えば、オーサリングにおいて、コンテンツデータの記録ビットレートを調整し、またはコンテンツデータにダミーデータを挿入し、コンテンツデータのファイルの記録位置が管理データの示す記録位置と一致するようにコンテンツデータのファイルのサイズを調整する。【００２８】
ＣＳＳにより暗号化されて記録可能層１５に記録されたコンテンツデータの再生は、例えば次のように行う。ＣＳＳにより暗号化されたコンテンツデータが記録可能層１５に記録された記録ディスク１０を入手した消費者は、当該消費者が所持している再生装置（例えばＤＶＤプレーヤ）を用いて記録ディスク１０に記録されたコンテンツデータを再生する。【００２９】
まず、消費者が記録ディスク１０を再生装置に装着すると、再生装置は、記録ディスク１０の種類を判別する処理を行う。例えば、一般に普及しているＤＶＤプレーヤの多くは、ＤＶＤに記録されている識別情報を参照し、かつ、ＤＶＤにおけるウォブルの有無を検出することにより、再生専用型ＤＶＤ（例えばＤＶＤ−ＲＯＭ）、記録型ＤＶＤ（例えばＤＶＤ−Ｒ、ＤＶＤ−ＲＷ）といったＤＶＤの種類を判別する。【００３０】
ＤＶＤの規格によれば、識別情報の記録位置は、第１層のリードイン領域中である。記録ディスク１０がＤＶＤである場合には、この規格に従って、記録ディスク１０の識別情報１９は、第１層、すなわち再生専用層１４のリードイン領域中に予め記録されている。そして、この識別情報１９は、再生専用であることを示している。したがって、ＤＶＤプレーヤは、記録ディスク１０から識別情報１９を読み取り、これを参照することによって、記録ディスク１０が再生専用型ＤＶＤであると認識する。【００３１】
また、一般に普及している様々な機種ないし型のＤＶＤプレーヤは、ＤＶＤの種類を判別するとき、ＤＶＤの第１層のリードイン領域において上記識別情報が記録されている位置周辺から、このリードイン領域に続くユーザデータ領域の内周部分にかけて光ビームを照射し、ＤＶＤの記録層にウォブルが存在するか否かを検出している。つまり、ＤＶＤのディスク種類判別領域は、第１層のリードイン領域において識別情報が記録されている位置周辺から、このリードイン領域に続くユーザデータ領域の内周部分かけてである。ＤＶＤプレーヤが光ビームを照射し、このディスク種類判別領域内を走査した結果、ウォブルが検出されなかったときは、ＤＶＤプレーヤは当該ＤＶＤが再生専用型ＤＶＤであると認識する。【００３２】
記録ディスク１０において、第１層のリードイン領域の識別情報１９が記録されている位置周辺から、このリードイン領域に続くユーザデータ領域の内周部分かけての領域、すなわちディスク種類判別領域１６は、再生専用層１４に存在する。そして、再生専用層１４にはウォブルが形成されていない。この結果、記録ディスク１０がＤＶＤである場合、ＤＶＤプレーヤは、記録ディスク１０が再生専用型ＤＶＤであると認識する。【００３３】
このように、再生装置は、識別情報１９の参照とウォブルの有無の検出とのダブルチェックにより、記録ディスク１０が再生専用のディスクであると判別する。【００３４】
続いて、再生装置は、記録ディスク１０の再生専用層１４に記録されたＣＳＳの暗号化データ１７を読み取り、この暗号化データ１７を用いて、記録可能層１５に記録されたコンテンツデータを復号する。続いて、再生装置は、復号されたコンテンツデータを再生する。【００３５】
一般に普及しているＤＶＤプレーヤの中には、ＣＳＳ暗号化方式のみに対応している機種と、ＣＳＳ暗号化方式だけでなくＣＰＲＭ暗号化方式に対応している機種がある。いずれの機種であっても、ＤＶＤの種類が再生専用型であると判別され、かつこのＤＶＤに記録されたコンテンツデータがＣＳＳにより暗号化されているときには、このコンテンツデータの復号・再生を許可する。したがって、記録ディスク１０が記録可能層１５を有しており、コンテンツデータの記録可能層１５への追記または書き換えが可能であるとしても、記録ディスク１０の種類が再生専用型であると判別され、かつ記録ディスク１０の記録可能層１５に記録されたコンテンツデータがＣＳＳにより暗号化されているときには、ＤＶＤプレーヤは、このコンテンツデータの復号・再生を許可する。【００３６】
以上説明したとおり、記録ディスク１０は、第２層を、コンテンツデータの追記または書き換えが可能な記録可能層１５とする一方で、第１層を、ウォブルが形成されていない再生専用層１４とし、さらに、再生専用層１４には、ＣＳＳの暗号化データ１７、および再生専用であることを示す識別情報１９を予め記録するといった構成を有している。これにより、コンテンツデータの追記ないし書き換えを実現することができる一方で、再生装置において記録ディスク１０の種類を再生専用型と判別させることができ、これにより、再生装置において、ＣＳＳにより暗号化されて記録ディスク１０に記録されたコンテンツデータの復号・再生を可能にすることができる。【００３７】
したがって、記録ディスク１０によれば、スタンパを用いることなしに、暗号化されたコンテンツデータを記録ディスク１０に簡単に記録することができ、これと共に、暗号化されて記録ディスク１０に記録されたコンテンツデータを復号・再生することができる再生装置の機種または型を広げることができる。よって、例えば、地方公共団体や企業が、ＰＲ活動映像などのコンテンツデータが記録された記録ディスクを少量でも安価に生産することができ、かつ記録ディスクに記録されたＰＲ活動映像などをより多くの人々に視聴してもらうことが可能になる。つまり、記録ディスク１０によれば、コンテンツの少量生産のコストを下げることができ、かつ生産したコンテンツの視聴者数を増やすことができる。【００３８】
なお、本発明の記録ディスクは２層記録ディスクに限られない。例えば、本発明の記録ディスクは、図２に示すような１層記録ディスク２０であってもよい。すなわち、基板２１上には記録層２２が形成され、記録層２２上には基板２３が設けられている。そして、記録層２２には、ウォブルが形成されていない再生専用領域２４と、ウォブルが形成されている記録可能領域２５とが形成されている。再生専用領域２４の位置および範囲は、再生専用領域２４内にディスク種類判別領域２６が含まれるように設定されている。さらに、再生専用領域２４には、ＣＳＳの暗号化データ２７およびファイルシステム２８が予め記録されている。さらに、再生専用領域２４には、再生専用であることを示す識別情報２９が予め記録されている。
【実施例１】
【００３９】
以下、本発明の第１実施例について図面を参照しながら説明する。以下の実施例は、本発明の記録ディスクを２層ハイブリッドＤＶＤに適用した例である。【００４０】
図３は、本発明の実施例である２層ハイブリッドＤＶＤを示している。図３に示すように、２層ハイブリッドＤＶＤ４０は、基板４１上に記録層４２が形成されており、記録層４２上には基板４３が設けられている。記録層４２は、第１層（レイヤ０）および第２層（レイヤ１）から構成されている。第１層は、第２層よりも、２層ハイブリッドＤＶＤにおいて光ビームが照射される側の基板に近い位置に配置されている。２層ハイブリッドＤＶＤ４０は、第１層および第２層双方とも、基板４１の内周側から外周側に向けて記録・読取を進めていく方式、すなわちパラレルトラックパス方式を採用している。【００４１】
２層ハイブリッドＤＶＤ４０の第１層は、ウォブルが形成されておらず、再生専用の再生専用層４４である。再生専用層４４は、例えばＤＶＤ−ＲＯＭの記録層と同様の構造である。第２層は、ウォブルが形成され、コンテンツデータの追記が可能な記録可能層４５である。記録可能層４５は、例えば一般のＤＶＤ−Ｒの記録層と同様の構造であり、有機色素材料により形成されている。なお、記録可能層４５を、例えば一般のＤＶＤ−ＲＷの記録層と同様に相変化材料により形成し、コンテンツデータの書き換えが可能な領域としてもよい。【００４２】
再生専用層４４には、内周側にリードイン領域４６が形成され、リードイン領域４６の外周側にはユーザデータ領域４７が形成され、ユーザデータ領域４７の外周側にはリードアウト領域４８が形成されている。記録可能層４５には、内周側にリードイン領域４９が形成され、リードイン領域４９の外周側にはユーザデータ領域５０が形成され、ユーザデータ領域５０の外周側にはリードアウト領域５１が形成されている。【００４３】
再生専用層４４のリードイン領域４６には、再生専用であることを示す識別情報５２がエンボスピットとして予め記録されている。さらに、再生専用層４４のリードイン領域４６には、ＣＳＳ暗号化方式による暗号化データ５３がエンボスピットとして予め記録されている。【００４４】
また、再生専用層４４において、リードイン領域４６に続くユーザデータ領域４７の内周部分には、ファイルシステム５４の全部がエンボスピットとして予め記録されている。さらに、再生専用層４４のユーザデータ領域４７において、ファイルシステム５４に続く部分には、必要に応じて、コンテンツデータ５５がエンボスピットとして予め記録されている。【００４５】
また、再生専用層４４は、ディスク種類判別を行うためにＤＶＤプレーヤにより光ビームが照射される領域、すなわちディスク種類判別領域５６を有している。ディスク種類判別領域５６は、再生専用層４４のリードイン領域４６において識別情報５２が記録されている位置周辺（例えば識別情報５２の先頭位置直前）から、リードイン領域４６に続くユーザデータ領域４７の内周部分かけて配置されている。【００４６】
一方、記録可能層４５のユーザデータ領域５０は、２層ハイブリッドＤＶＤ４０の製造が完了し、２層ハイブリッドＤＶＤ４０を出荷する段階では、未記録である。もっとも、ファイルシステム５４が再生専用層４４に予め記録されており、ファイルシステム５４には、記録可能層４５に記録されるコンテンツデータのファイルの記録位置を示す管理データが予め含まれている。このため、記録可能層４５に記録されるコンテンツデータのファイルの記録位置は予め固定されている。【００４７】
２層ハイブリッドＤＶＤ４０に対するコンテンツデータの記録は、例えば次のように行う。２層ハイブリッドＤＶＤ４０を購入したコンテンツ制作者は、コンテンツデータを、２層ハイブリッドＤＶＤ４０の記録可能層４５に記録する。コンテンツデータを記録可能層４５に記録するときには、必要に応じて、コンテンツデータをＣＳＳにより暗号化する。コンテンツデータをＣＳＳにより暗号化するときには、当該２層ハイブリッドＤＶＤ４０の再生専用層４４に予め記録されている暗号化データ５３を用いる。なお、コンテンツデータをＣＳＳにより暗号化して記録可能層４５に記録するときには、ＣＳＳにより暗号化してコンテンツデータを記録する機能を有する記録装置を用いる。【００４８】
また、記録可能層４５に記録すべきコンテンツデータのファイルの記録位置は、再生専用層４４に記録されたファイルシステム５４中の管理データによって予め決まっている。このため、コンテンツデータを記録可能層４５に記録するときには、コンテンツデータのファイルの記録位置が、ファイルシステム５４中の管理データの示す記録位置と一致するように、コンテンツデータをオーサリングする。【００４９】
ＣＳＳにより暗号化されて記録可能層４５に記録されたコンテンツデータの再生は、例えば次のように行う。例えばＣＳＳにより暗号化されたコンテンツデータが記録可能層４５に記録された２層ハイブリッドＤＶＤ４０を入手した消費者は、当該消費者が所持しているＤＶＤプレーヤを用いて２層ハイブリッドＤＶＤ４０に記録されたコンテンツデータを再生する。【００５０】
まず、消費者が２層ハイブリッドＤＶＤ４０をＤＶＤプレーヤに装着すると、ＤＶＤプレーヤは、２層ハイブリッドＤＶＤ４０の種類を判別する処理を行う。具体的には、ＤＶＤプレーヤは、２層ハイブリッドＤＶＤ４０に記録されている識別情報５２を参照し、かつ、２層ハイブリッドＤＶＤ４０の再生専用層４４におけるディスク種類判別領域５６に光ビームを照射することによりウォブルの有無を検出する。【００５１】
２層ハイブリッドＤＶＤ４０に記録されている識別情報５２は、再生専用であることを示している。そして、再生専用層４４にはウォブルは形成されていない。したがって、ＤＶＤプレーヤは、２層ハイブリッドＤＶＤ４０が再生専用型ＤＶＤであると認識する。【００５２】
続いて、ＤＶＤプレーヤは、２層ハイブリッドＤＶＤ４０に記録されたＣＳＳの暗号化データ５３を読み取り、暗号化データ５３を用いて、記録可能層４５に記録されたコンテンツデータを復号する。続いて、ＤＶＤプレーヤは、復号されたコンテンツデータを再生する。【００５３】
以上説明したとおり、２層ハイブリッドＤＶＤ４０は、第２層を、コンテンツデータの追記が可能な記録可能層４５とする一方で、第１層を、ウォブルが形成されていない再生専用層４４とし、さらに、再生専用層４４には、再生専用であることを示す識別情報５２およびＣＳＳの暗号化データ５３を予め記録するといった構成を有している。これにより、コンテンツデータの追記を実現することができる一方で、ＤＶＤプレーヤにおいて２層ハイブリッドＤＶＤ４０の種類を再生専用型ＤＶＤと判別させることができ、これにより、ＤＶＤプレーヤにおいて、ＣＳＳにより暗号化されて２層ハイブリッドＤＶＤ４０に記録されたコンテンツデータの復号・再生を可能にすることができる。【００５４】
したがって、２層ハイブリッドＤＶＤ４０によれば、スタンパを用いることなしに、暗号化されたコンテンツデータを２層ハイブリッドＤＶＤ４０に簡単に記録することができ、これと共に、暗号化されて２層ハイブリッドＤＶＤ４０に記録されたコンテンツデータを復号・再生することができるＤＶＤプレーヤの機種または型を広げることができる。よって、例えば、地方公共団体や企業が、ＰＲ活動映像などのコンテンツデータが記録されたＤＶＤを少量でも安価に生産することができ、かつＤＶＤに記録されたＰＲ活動映像などをより多くの人々に視聴してもらうことが可能になる。つまり、２層ハイブリッドＤＶＤ４０によれば、コンテンツの少量生産のコストを下げることができ、かつ生産したコンテンツの視聴者数を増やすことができる。【００５５】
なお、上述した２層ハイブリッドＤＶＤ４０では、ファイルシステム５４の全部を再生専用層４４のユーザデータ領域４７に予め記録する構成を採用している。しかし、本発明はこれに限られない。すなわち、図４に示す２層ハイブリッドＤＶＤ６０のように、ファイルシステムを第１部分６１Ａと第２部分６１Ｂとに分割し、第１部分６１Ａのみを再生専用層４４のユーザデータ領域４７にエンボスピットとして予め記録しておく。このファイルシステムの第１部６１Ａには、記録可能層４５に記録すべきコンテンツデータのファイルの記録位置を示す管理データを含ませない。この管理データは、第２部分６１Ｂに含ませる。【００５６】
ファイルシステムの第２部分６１Ｂは、コンテンツデータを記録可能層４５のユーザデータ領域５０に記録し終えた後に、記録可能層４５のユーザデータ領域５０の内周部分に記録装置により記録する。すなわち、コンテンツデータの記録可能層４５への記録が完了し、当該コンテンツデータのファイルの記録位置が確定した後、これら確定したファイルの記録位置を記述した管理データを記録装置により生成し、この管理データを含むファイルシステムの第２部分６１Ｂを記録可能層４５に記録装置により記録する。これにより、記録可能層４５に記録すべきコンテンツデータのファイルの記録位置を、記録可能層４５のユーザデータ領域５０における未記録領域の範囲内（ファイルシステムの第２部分６１Ｂのリザーブ領域などを除く）で自由に設定することが可能になる。【００５７】
また、ユーザデータ領域４７に予めエンボス等で記録されたコンテンツデータ５５を再生させるために、後に記録されるファイルシステムの第２部分６１Bに当該コンテンツデータ５５を再生させるための情報を追記してもよい。これにより、例えばコンテンツを視聴するための料金に差を設け、徴収する料金の大小によって適宜当該コンテンツデータ５５も再生することが可能となる。
【実施例２】
【００５８】
本発明の第２実施例について図面を参照しながら説明する。以下の実施例は、本発明の記録ディスクを１層ハイブリッドＤＶＤに適用した例である。【００５９】
図５は、本発明の実施例である１層ハイブリッドＤＶＤを示している。図５に示すように、１層ハイブリッドＤＶＤ７０は、基板７１上に記録層７２が形成され、記録層７２上に基板７３が設けられている。記録層７２の材料は、例えば一般のＤＶＤ−Ｒの記録層に用いられている材料と同様の有機色素材料である。なお、記録層７２の材料を、例えば一般のＤＶＤ−ＲＷの記録層に用いられる材料と同様の相変化材料により形成してもよい。【００６０】
記録層７２の内周側には記録可能領域７４が形成され、記録可能領域７４の外周側には再生専用領域７５が形成され、再生専用領域７５の外周側には記録可能領域７６が形成されている。記録可能領域７４と再生専用領域７５とは連続しており、再生専用領域７５と記録可能領域７６とは連続している。記録可能領域７６は、記録層７２の外周側へ広がっている。【００６１】
記録可能領域７４、７６は、コンテンツデータの追記が可能な領域である。記録可能領域７４、７６には、ウォブルが形成されたウォブルドグルーブ７７が設けられている。なお、記録層７２を相変化材料により形成することにより、記録可能領域７４、７６を、コンテンツデータの書き換えが可能な領域とすることもできる。【００６２】
再生専用領域７５は、再生専用の領域である。再生専用領域７５には、ウォブルが形成されていないノーマルグルーブ７８が設けられている。【００６３】
記録層７２は、このように、物理的構造上（記録特性上）、記録可能領域７４、７６および再生専用領域７５に分けられるが、一方、記録層７２は、データ構造上（論理フォーマット上）、リードイン領域８１、ユーザデータ領域８２およびリードアウト領域８３に分けられる。すなわち、記録層７２には、内周側にリードイン領域８１が形成され、リードイン領域８１の外周側にはユーザデータ領域８２が形成され、ユーザデータ領域８２の外周側にはリードアウト領域８３が形成されている。【００６４】
リードイン領域８１には、再生専用であることを示す識別情報８４が予め記録されている。さらに、リードイン領域８１には、ＣＳＳ暗号化方式による暗号化データ８５が予め記録されている。識別情報８４および暗号化データ８５は、例えば１層ハイブリッドＤＶＤ７０の製造工程において、リードイン領域８１の所定の記録位置に光ビームを照射することによって記録される。【００６５】
また、リードイン領域８１に続くユーザデータ領域８２の内周部分には、ファイルシステム８６が予め記録されている。さらに、ユーザデータ領域８２には、ファイルシステム８６に続いてダミーデータ８７が予め記録されている。ファイルシステム８６およびダミーデータ８７は、例えば１層ハイブリッドＤＶＤ７０の製造工程において、ユーザデータ領域８２内周部分における所定の記録位置に光ビームを照射することによって記録される。なお、ダミーデータ８７の長さは、例えば１ないし数ＥＣＣブロックの長さとすることが望ましい。【００６６】
また、記録層７２は、ディスク種類判別を行うためにＤＶＤプレーヤにより光ビームが照射される領域、すなわちディスク種類判別領域８８を有している。ディスク種類判別領域８８は、リードイン領域８１において識別情報８４が記録されている位置周辺から、リードイン領域８１に続くユーザデータ領域８２の内周部分かけて配置されている。【００６７】
一方、ユーザデータ領域８２において、ダミーデータ８７が記録された領域の外周側は、１層ハイブリッドＤＶＤ７０の製造が完了し、１層ハイブリッドＤＶＤ７０を出荷する段階では、未記録である。もっとも、ファイルシステム８６が予め記録されており、ファイルシステム８６には、ユーザデータ領域８２に記録されるコンテンツデータのファイルの記録位置を示す管理データが予め含まれている。このため、ユーザデータ領域８２に記録されるコンテンツデータのファイルの記録位置は予め固定されている。【００６８】
このように、記録層７２には、記録可能領域７４、７６および再生専用領域７５といった物理的構造と、リードイン領域８１、ユーザデータ領域８２およびリードアウト領域８３といったデータ構造とが存在する。これら物理的構造とデータ構造との配置関係は、例えば次のとおりである。【００６９】
再生専用領域７５は、記録可能領域７４と記録可能層７６との間に配置されているが、全体的にみると、記録層７２の内周側に配置されている。具体的には、再生専用領域７５は、リードイン領域８１内の所定位置から、リードイン領域８１に続くユーザデータ領域８２の内周部分にかけて配置されている。より具体的には、再生専用領域７５は、リードイン領域８１において識別情報８４が記録されている位置周辺（例えば識別情報８４の先頭位置直前）から、リードイン領域８１に続くユーザデータ領域８２の内周部分かけて配置されている。すなわち、再生専用領域７５は、ディスク種類判別領域８８と重なり合っている。なお、再生専用領域７５は、ディスク種類判別領域８８と一致していることが望ましいが、これに限らず、ディスク種類判別領域８８を含んだより広い範囲に再生専用領域７５を拡大してもよい。【００７０】
例えば、再生専用領域７５は、基板７１の軸線Ａを基準にして半径２２ミリメートル以上３０ミリメートル以下の範囲内に配置されていることが望ましい。また、再生専用領域７６は、少なくとも、基板７１の軸線Ａを基準にして半径２４ミリメートルから半径２７ミリメートルまでの範囲を覆うように配置されていることが望ましい。さらに、再生専用領域７６は、少なくとも、基板７１の軸線Ａを基準にして半径２４ミリメートルから半径２８ミリメートルまでの範囲を覆うように配置されていることがより望ましい。【００７１】
記録層７２における物理的構造とデータ構造との配置関係に基づいて、記録可能領域７４、７６および再生専用領域７５と、識別情報８４、暗号化データ８５、ファイルシステム８６およびダミーデータ８７などの記録位置との関係は、次のとおりである。すなわち、識別情報８４、暗号化データ８５、ファイルシステム８６は、再生専用領域７５内に記録されている。ダミーデータ８７は、再生専用領域７５と記録可能領域７６との境界が含まれる所定の範囲に記録されている。また、記録可能領域７６において、ダミーデータ８７が記録された領域より外周側からユーザデータ領域８２の末尾位置までの間は、１層ハイブリッドＤＶＤ７０の工場出荷時において未記録である。【００７２】
１層ハイブリッドＤＶＤ７０に対するコンテンツデータの記録は、例えば次のように行う。１層ハイブリッドＤＶＤ７０を購入したコンテンツ制作者は、コンテンツデータを、１層ハイブリッドＤＶＤ７０の記録可能領域７６の未記録領域に記録する。コンテンツデータを記録可能領域７６の未記録領域に記録するときには、必要に応じて、コンテンツデータをＣＳＳにより暗号化する。コンテンツデータをＣＳＳにより暗号化するときには、当該１層ハイブリッドＤＶＤ７０の再生専用領域７５に予め記録されている暗号化データ８５を用いる。なお、コンテンツデータをＣＳＳにより暗号化して記録可能領域７６の未記録領域に記録するときには、ＣＳＳにより暗号化してコンテンツデータを記録する機能を有する記録装置を用いる。【００７３】
また、記録可能領域７６の未記録領域に記録すべきコンテンツデータのファイルの記録位置は、再生専用領域７５に記録されたファイルシステム８６中の管理データによって予め決まっている。このため、コンテンツデータを記録可能領域７６の未記録領域に記録するときには、コンテンツデータのファイルの記録位置が、ファイルシステム８６中の管理データの示す記録位置と一致するように、コンテンツデータをオーサリングする。【００７４】
ＣＳＳにより暗号化されて記録可能領域７６に記録されたコンテンツデータの再生は、例えば次のように行う。ＣＳＳにより暗号化されたコンテンツデータが記録可能領域７６に記録された１層ハイブリッドＤＶＤ７０を入手した消費者は、当該消費者が所持しているＤＶＤプレーヤを用いて１層ハイブリッドＤＶＤ７０に記録されたコンテンツデータを再生する。【００７５】
まず、消費者が１層ハイブリッドＤＶＤ７０をＤＶＤプレーヤに装着すると、ＤＶＤプレーヤは、１層ハイブリッドＤＶＤ７０の種類を判別する処理を行う。具体的には、ＤＶＤプレーヤは、１層ハイブリッドＤＶＤ７０に記録されている識別情報８４を参照し、かつ、１層ハイブリッドＤＶＤ７０の再生専用領域７５、すなわちディスク種類判別領域８８に光ビームを照射することによりウォブルの有無を検出する。【００７６】
１層ハイブリッドＤＶＤ７０に記録されている識別情報８４は、再生専用であることを示している。そして、再生専用領域７５にはウォブルは形成されていない。したがって、ＤＶＤプレーヤは、１層ハイブリッドＤＶＤ７０が再生専用型ＤＶＤであると認識する。【００７７】
続いて、ＤＶＤプレーヤは、１層ハイブリッドＤＶＤ７０に記録されたＣＳＳの暗号化データ８５を読み取り、暗号化データ８５を用いて、記録可能領域７６に記録されたコンテンツデータを復号する。続いて、ＤＶＤプレーヤは、復号されたコンテンツデータを再生する。【００７８】
以上説明したとおり、１層ハイブリッドＤＶＤ７０は、記録層７２に、ウォブルが形成されており、コンテンツデータの追記が可能な記録可能領域７４、７６と、ウォブルが形成されていない再生専用領域７５とを形成し、さらに、再生専用領域７５には、再生専用であることを示す識別情報８４およびＣＳＳの暗号化データ８５を予め記録するといった構成を有している。これにより、コンテンツデータの追記を実現することができる一方で、ＤＶＤプレーヤにおいて１層ハイブリッドＤＶＤ７０の種類を再生専用型ＤＶＤと判別させることができ、これにより、ＤＶＤプレーヤにおいて、ＣＳＳにより暗号化されて１層ハイブリッドＤＶＤ７０に記録されたコンテンツデータの復号・再生を可能にすることができる。【００７９】
したがって、１層ハイブリッドＤＶＤ７０によれば、スタンパを用いることなしに、暗号化されたコンテンツデータを１層ハイブリッドＤＶＤ７０に簡単に記録することができ、これと共に、暗号化されて１層ハイブリッドＤＶＤ７０に記録されたコンテンツデータを復号・再生することができるＤＶＤプレーヤの機種または型を広げることができる。よって、例えば、地方公共団体や企業が、ＰＲ活動映像などのコンテンツデータが記録されたＤＶＤを少量でも安価に生産することができ、かつＤＶＤに記録されたＰＲ活動映像などをより多くの人々に視聴してもらうことが可能になる。つまり、１層ハイブリッドＤＶＤ７０によれば、コンテンツの少量生産のコストを下げることができ、かつ生産したコンテンツの視聴者数を増やすことができる。【００８０】
また、１層ハイブリッドＤＶＤ７０では、再生専用領域７５と記録可能領域７６との境界周辺にダミーデータ８７を記録しておく。これにより、記録装置により記録可能領域７６の未記録領域にコンテンツデータを記録するとき、記録装置（ＤＶＤレコーダ）と１層ハイブリッドＤＶＤ７０との間の同期を確実に確立させた状態でコンテンツデータの記録を開始することが可能になる。すなわち、記録装置は、ウォブルに基づいて１層ハイブリッドＤＶＤ７０との間の同期を確立する。このため、ウォブルの形成されていない再生専用領域７５では、同期を確立することができない。記録装置は、再生専用領域７５内にはデータを記録しないので、再生専用領域７５内において同期を確立する必要がない。ところが、光ビームのスポットが再生専用領域７５から記録可能領域７６に進入したら同期を確立する必要がある。記録可能領域７６にはウォブルが形成されているので、記録装置はウォブルに基づいて同期を確立することができるのであるが、光ビームのスポットが再生専用領域７５から記録可能領域７６に進入した直後は、同期が安定しない場合がある。そこで、１層ハイブリッドＤＶＤ７０では、再生専用領域７５と記録可能領域７６との境界周辺にダミーデータ８７を記録しておき、ダミーデータ８７が記録されている区間を、記録装置と１層ハイブリッドＤＶＤ７０との間の同期を安定化させるためのいわば助走区間として機能させる。これにより、記録装置と１層ハイブリッドＤＶＤ７０との間の同期を安定させてからコンテンツデータの記録を開始することが可能になり、コンテンツデータの記録の安定性を高めることができる。【００８１】
なお、上述した１層ハイブリッドＤＶＤ７０では、図６に示すように、再生専用領域７５にはウォブルを形成せず、ノーマルグルーブ７８を設ける。この場合、識別情報８４、暗号化データ８５およびファイルシステム８６などを再生専用領域７５に記録するために、製造工程において光ビームをグルーブ７８に照射することにより、ピット９１を形成する。しかし、本発明はこれに限られない。例えば、図７に示すように、再生専用領域においては、グルーブを間歇的に形成することによってエンボスピット９２、９２、…を形成し、これらエンボスピット９２の長さないし形状を変化させることにより、識別情報、暗号化データおよびファイルシステムなどを記録してもよい。この場合、変調度を高めるために、エンボスピット９２に一定光量の光ビームの照射（ＤＣライト）を行うことが望ましい。再生専用領域のグルーブをエンボスピット９２とすることにより、１層ハイブリッドＤＶＤの製造過程において、記録層７２におけるグルーブの形成と、再生専用領域に対する識別情報、暗号化データおよびファイルシステムなど記録（つまり間歇グルーブであるエンボスピット９２の形成）とを１工程内で行うことができる。したがって、１層ハイブリッドＤＶＤの製造の工程数の削減、製造時間の短縮化、製造コストの削減などを実現することができる。【００８２】
また、上述した１層ハイブリッドＤＶＤ７０では、図６に示すように、再生専用領域７５にはウォブルを形成せず、ノーマルグルーブ７８を設ける構成としたが、図８に示すように、再生専用領域にウォブルを形成したウォブルドグルーブ９３を設けてもよい。ただし、この場合には、ウォブルドグルーブ９３に記録するピット９４を、このウォブルドグルーブ９３のウォブルの位相と１８０度異なる位相を有する波状に配列する。これにより、再生専用領域においてウォブルの存在を再生装置（ＤＶＤプレーヤ）に対して隠すことができる。すなわち、ウォブルドグルーブ９３に記録するピット９４を、このウォブルドグルーブ９３のウォブルの位相と１８０度異なる位相を有する波状に配列すると、一般に普及しているＤＶＤプレーヤの多くは、ウォブルドグルーブ９３のウォブルを検出することができず、ウォブルドグルーブ９３を、ウォブルの形成されていないノーマルグルーブと判断する。したがって、ＤＶＤプレーヤにおいて１層ハイブリッドＤＶＤを再生専用型ＤＶＤと判断させることができる。【００８３】
なお、上述した説明では、ウォブルがあるかないか、あるいはウォブルが検出されるかされないかに基づいて、記録ディスクが再生専用型であるか否かを再生装置が判別する場合を例にあげた。しかし、本発明はこれに限られない。再生装置が、再生専用層（再生専用領域）と記録可能層（記録可能領域）との物理構造のその他の相違に基づいて記録ディスクが再生専用型であるか否かを判別するタイプである場合には、この再生装置の判別手法に応じて、記録ディスクにおける再生専用層の物理構造を設定してもよい。つまり、本発明の記録ディスクにおける再生専用層（再生専用領域）と記録可能層（記録可能領域）との物理構造の相違は、ウォブルに関する構造に限られない。もっとも、上述したように、再生専用層（再生専用領域）と記録可能層（記録可能領域）との物理構造の相違がウォブルに関する構造である場合が一般的であるので、ウォブルに関する構造の相違に着目した上述の記録ディスク１０、２０などは、有効範囲ないし適用範囲がもっとも広いといえる。【００８４】
また、本発明は、請求の範囲および明細書全体から読み取るこのできる発明の要旨または思想に反しない範囲で適宜変更可能であり、そのような変更を伴う記録ディスクもまた本発明の技術思想に含まれる。
【産業上の利用可能性】
【００８５】
本発明に係る記録ディスクは、例えば、映像、音楽などのコンテンツデータを記録するのに適したＤＶＤ等の記録ディスクに利用可能である。
【図１】
0004425311.tif 000002
【図２】
0004425311.tif 000003
【図３】
0004425311.tif 000004
【図４】
0004425311.tif 000005
【図５】
0004425311.tif 000006
【図６】
0004425311.tif 000007
【図７】
0004425311.tif 000008
【図８】
0004425311.tif 000009